(57)【要約】      （修正有）【課題】経年劣化が起こりにくく、かつ使い勝手に優れる嵌め合わせパズルを提供する。【解決手段】組み立て可能なパズルであって、複数のパズル部品Ａを備え、パズル部品Ａは、複数のパズル部品Ａを組み立てた状態で互いに当接する当接部Ｔを有し、当接部Ｔは、漆によって被膜される漆層Ｕが設けられるパズルであり、パズル部品Ａは、パズルピース１と、パズルピース１を嵌め込む台座２を含む。【選択図】図２
0003233935.tif 000002
【実用新案登録請求の範囲】
【請求項１】
組み立て可能なパズルであって、
複数のパズル部品を備え、
前記パズル部品は、複数の前記パズル部品を組み立てた状態で互いに当接する当接部を有し、
前記当接部は、漆によって被膜される漆層が設けられるパズル。
【請求項２】
前記パズル部品は、
パズルピースと、前記パズルピースを嵌め込む台座を含む請求項１に記載のパズル。
【請求項３】
前記パズルピースは、複数の構成体によって構成され、
前記複数の構成体が組み合わさった状態で前記台座に嵌め込まれる請求項２に記載のパズル。
【請求項４】
前記構成体は、平面視で略同一形状である請求項３に記載のパズル。
【請求項５】
前記構成体は、同一の色彩に着色されている請求項３又は４に記載のパズル。
【請求項６】
前記パズルピースは、柱状である請求項２〜５の何れかに記載のパズル。
【考案の詳細な説明】
【技術分野】
【０００１】
本発明は、表面に漆による被膜が形成される、嵌め合わせパズルに関する。
【背景技術】
【０００２】
例えば特許文献１に示すような立体的なブロックを嵌め合わせるパズル玩具は、指先の器用さや思考力を向上させる作用を持ち、また、安全性が高いため、知育または脳の老化抑制を目的として世界的に普及している。
【先行技術文献】
【特許文献】
【０００３】
【特許文献１】実用新案登録３２２４７０６号公報
【考案の概要】
【考案が解決しようとする課題】
【０００４】
一方、特許文献１に記載の考案のような木材同士を篏合して使用する嵌め合わせ玩具には、種々の改良点がある。
例えば、気候の変化で木片が水分を吸収し木片が膨潤すると、篏合の具合が変動しパズル同士をうまく嵌めることができなくなることや、使用によってささくれが生じけがをする恐れが出てくること、篏合する際に木片同士の摩擦によって摩耗してしまうこと等であり、いずれも経年劣化によって発生し、パズルとしての利用に不都合を生ずる。
【０００５】
本考案は、上述の課題に鑑みて、経年劣化が起こりにくく、かつ使い勝手に優れる嵌め合わせパズルを提供することを目的とする。
【課題を解決するための手段】
【０００６】
上記課題を解決する本考案は、組み立て可能なパズルであって、複数のパズル部品を備え、前記パズル部品は、複数の前記パズル部品を組み立てた状態で互いに当接する当接部を有し、前記当接部は、漆によって被膜される漆層が設けられるパズルである。
このような構成にすることによって、前記当接部における摩擦が低減し、組立を簡単にすることができるようになるとともに、前記漆層による被膜作用によって耐久性や意匠性が高まる。
【０００７】
本発明の好ましい形態では、前記パズル部品は、パズルピースと、前記パズルピースを嵌め込む台座を含む。
このような構成にすることによって、前記パズルピースを前記台座に嵌め込むパズルの耐久性を高め、同時に嵌め込みの際の摩擦を低減させることで前記パズルの使い勝手を良くすることができる。さらに、意匠性に優れたパズルを製作することが可能になる。
【０００８】
本発明の好ましい形態では、前記パズルピースは、複数の前記パズルピースが組み合わさった状態で前記台座に嵌め込まれる。
このような構成にすることによって、複数の前記パズルピース同士を組み合わせる際にも、前記パズルピースの摩擦を低減し、さらに耐久性を向上させることができる。
【０００９】
本発明の好ましい形態では、前記パズルピースは、平面視で略同一形状である。
このような構成にすることによって、使用者の形状識別能力を高めることができるようになる。
【００１０】
本発明の好ましい形態では、前記パズルピースは、同一の色彩に着色されている。
このような構成にすることによって、使用者の色彩識別能力を高めることができ、また、前記漆層の意匠性をより生かすことができる。
【００１１】
本発明の好ましい形態では、前記パズルピースは、柱状に設けられている。
このような構成にすることによって、当接部に被膜を塗布することを容易に行うことができるようになるとともに、角が生じることで使用者がパズルピースを誤って飲み込むことを防ぐことができる。
【考案の効果】
【００１２】
上記の構成によって、上述の課題に鑑みて、経年劣化が起こりにくく、かつ使い勝手に優れる嵌め合わせパズルを提供することができる。
【図面の簡単な説明】
【００１３】
【図１】本考案の第一の実施形態に係る、パズルを表す斜視図である。
【図２】本考案の実施形態に係る、接続部の表面を表す模式図である。
【図３】本考案の第二の実施形態に係る、複数の構成体を組み合わせたパズルを表す斜視図である。
【図４】本考案の第三の実施形態に係る、複数の構成体を組み合わせたパズルを表す斜視図である。
【図５】本考案の第四の実施形態に係る、複数の構成体を組み合わせたパズルを表す斜視図である。
【図６】本考案の第四の実施形態に係る、複数の構成体を立体的に組み合わせるパズルの斜視図である。
【図７】本考案の実施形態に係る、パズルの全体像を表す斜視図である。
【考案を実施するための形態】
【００１４】
以下、図面を用いて、本発明の各実施形態に係るパズルについて説明する。説明は、各実施形態に係るパズルの各々の構成要素についての説明を行い、次に製造方法、最後にパズルの利用方法について詳述を行う。
なお、以下に示す各実施形態は本発明の一例であり、本発明を以下の各実施形態に限定するものではない。
【００１５】
《第一の実施形態》
まず、図１及び図２を用いて、本実施形態に係るパズルの構造について詳述する。以下において、符号Ｘはパズルを表す。
【００１６】
図１は、本実施形態に係るパズルの一部である第一パズルＸ１を表した斜視図である。第一パズルＸ１は、複数のパズル部品Ａによって構成され、パズル部品Ａは、パズルピース１と、台座２を備える。
【００１７】
パズルピース１は、円柱ピース１ａ、三角柱ピース１ｂ、直方体ピース１ｃの３つの柱状のピースによって構成されており、それぞれが同質の木材によって形成されている。なお、パズルピース１の高さは、パズルピース１の幅よりも短く構成することが好ましく、これにより上面がどの向きかを識別しやすくする。
【００１８】
台座２は、略平板形状に形成された基台２１と、基台２１と平面視で同一形状に形成され、複数の孔を設けた穴板２２と、を貼り合わせることによって構成される。なお、基台２１の高さと穴板２２の高さは略同一である。
【００１９】
穴板２２には、パズルピース１が嵌め込み可能となるように打ち抜くことによって形成される穴が複数設けられている。穴は、円柱ピース１ａが嵌め込み可能となる円柱穴２２ａと、三角柱ピース１ｂが嵌め込み可能となる三角柱穴２２ｂと、直方体ピース１ｃが嵌め込み可能となる四角柱孔２２ｃを含み、それぞれの穴は略等間隔に設けられている。
【００２０】
パズルピース１を穴に嵌め合わせると、パズルピース１の下面と基台２１の上面、及びパズルピース１の側面と穴の内周面はお互いに当接する当接部Ｔとなる。
【００２１】
図２は、パズルピース１が穴に嵌め合っている状態における、当接部Ｔの断面の拡大模式図を示す。
本図において、左側のパズル部品Ａはパズルピース１を表し、右側のパズル部品Ａが、台座２を表している。
【００２２】
パズルピース１の表面は漆層Ｕで被膜されており、台座２の表面にも同様にして漆層Ｕで被膜されている。パズルピース１の漆層Ｕと、台座２の漆層Ｕは、当接部Ｔにおいて、互いに当接している。
漆層Ｕの厚さは、０．１ｍｍ〜５ｍｍ程度であり、これによってパズル部品Ａの表面を保護するとともに、当接部Ｔにおける摩擦を軽減する。
【００２３】
なお、漆層Ｕはパズルピース１の全面を被膜していても、台座２の全面を被膜していてもよく、このような構成とすることによれば、パズルＸの耐久性がさらに向上する。
【００２４】
《第二の実施形態》
以下、図３を用いて、第一パズルＸ１に類似した別の形態である第二パズルＸ２について説明を行う。
なお、第一の実施形態と同様の構成については、第一パズルＸ１と同じ符号を用いて説明を省略する。
【００２５】
第二パズルＸ２は、パズルピース１と、台座２を備え、台座２に設けられた穴にパズルピース１を嵌め合わせられるように構成しており、少なくともパズルピース１は、漆層Ｕを有する。
また、パズルピース１は、円柱ピース１ａ、三角柱ピース１ｂ、直方体ピース１ｃの３つの柱状のピースによって構成されており、それぞれのパズルピース１は、複数の構成体に分割し、また組み合わせることができる。
【００２６】
円柱ピース１ａは、平面視で同一の形状を持つ２つの円柱構成体１ａ’によって、分割、また組み合わせることができるように構成されている。円柱構成体１ａ’は、平面視で凸部と凹部を有する勾玉形状の部材であって、一方の凸部が他方の凹部に嵌め合わさることによって円柱形状を形成する柱状部材である。
【００２７】
三角柱ピース１ｂは、平面視で同一の形状を持つ３つの三角柱構成体１ｂ’によって、分割、また組み合わせができるように構成されている。詳述すると、三角柱構成体１ｂ’は、平面視で三角形である三角柱ピース１ｂの各辺の中点から三角形の重心へ向かって切れ目を入れることによって分割することによって形成される。
【００２８】
直方体ピース１ｃは、４つの直方体構成体１ｃ’によって、分割、また組み合わせができるように構成されている。詳述すると、直方体構成体１ｃ’は、平面視で四角形である直方体ピース１ｃの各辺の垂直二等分線に沿って分割することで、同一形状の直方体構成体１ｃ’を４つ形成する。
【００２９】
好ましくは、直方体構成体１ｃ’は立方体であることが好ましい。これによって、使用者は立方体の底面形状が全ての面において同一であることを理解することができる。
【００３０】
また、好ましくは、構成体の各面の色彩を別々とする。これによって、上面の色彩を構成体の向きによって様々に変更し、一つのパズルピース１で様々な意匠を生み出すことができる。
【００３１】
なお、構成体はパズル部品Ａの一部であり、構成体同士が組み合わさる面は当接部Ｔとなる。当該当接部Ｔにも、図２のように漆層Ｕを設けることによって、摩擦によるささくれや経年劣化が生じにくく、長期間にわたって嵌め合わせ可能なパズルを形成することができる。
【００３２】
《第三の実施形態》
以下、図４を用いて、第一パズルＸ１に類似した別の形態である第三パズルＸ３について説明を行う。
なお、第一の実施形態と同様の構成については、第一パズルＸ１と同じ符号を用いて説明を省略する。
【００３３】
第三パズルＸ３は、パズルピース１と、台座２を備え、台座２に設けられた孔に、パズルピース１が嵌め合わさるように構成しており、少なくともパズルピース１は漆層Ｕを有する。
また、パズルピース１は、円柱ピース１ａ、三角柱ピース１ｂ、直方体ピース１ｃの３つの柱状のピースによって構成されており、それぞれのパズルピース１は、複数の構成体に分割し、また組み合わせることができるようになっている。
【００３４】
詳述すると、円柱ピース１ａは、複数の円柱同色構成体１ａ”に分割、また組み合わせることができるように構成しており、各円柱同色構成体１ａ”の表面が、同一又は類似の色彩となるように彩色してある。
【００３５】
同様にして、三角柱ピース１ｂは複数の三角柱同色構成体１ｂ”に、直方体ピース１ｃは複数の直方体色構成体１ｃ”に分割、また組み合わせることができるように構成しており、それぞれが同一又は類似の色彩になるように彩色している。
【００３６】
ここで、各パズルピース１の色彩は、それぞれ異なる色となるように彩色している。これによって使用者は色彩をもとにパズルＸの組み合わせを推理することができるため、思考力が向上する。
特に好ましくは、各パズルピース１の色の組み合わせは、色弱の者にも判断が付きやすいものを選択することが好ましい。例えば、黄緑色、水色、橙色の明度が高い組み合わせであるとよい。
【００３７】
さらに好ましくは、パズルピース１の前面に漆層Ｕを設け、漆の精製度合いや、漆への添加物の有無、漆層Ｕの厚みによって色彩を区別する方式としてもよく、また色彩だけでなく触覚による差別化を行ってもよい。
【００３８】
《第四の実施形態》
以下、図５を用いて、第一パズルＸ１に類似した別の形態である第四パズルＸ４について説明を行う。
なお、第一の実施形態と同様の構成については、第一パズルＸ１と同じ符号を用いて説明を省略する。
【００３９】
第四パズルＸ４は、パズルピース１と、台座２を備え、台座２に設けられた孔に、パズルピース１が嵌め合わさるように構成しており、少なくともパズルピース１は漆層Ｕを有する。
また、パズルピース１は、円柱ピース１ａ、三角柱ピース１ｂ、直方体ピース１ｃの３つの柱状のピースによって構成されており、それぞれのパズルピース１は、複数の構成体に分割し、また組み合わせることができるようになっている。
【００４０】
円柱ピース１ａは、複数の円柱篏合構成体１ａ＾に分割、また嵌め込みができるように構成している。それぞれの円柱篏合構成体１ａ＾は、複数の円柱篏合構成体１ａ＾をまたがるように模様が描かれており、正しい向きで嵌め込まれた状態で絵柄が合致する。これによって、使用者の思考力や手先を器用にすることができる。
【００４１】
三角柱ピース１ｂを構成する複数の三角柱立体構成体１ｂ＾は、図６に示すように、内部の球体１ｂＡと、球体を嵌め込む球体穴１ｂＢと、球体を上部から篏合する球体押さえ１ｂＣと、側面の構成体である側面構成体１ｂＤと、によって構成されている。これによって、組み合わせの難易度を高めるとともに、使用者の立体的な空間把握能力を高めることができる。
【００４２】
直方体ピース１ｃは、複数の直方体地図構成体１ｃ＾に、分割、組み合わせができるように構成している。直方体地図構成体１ｃ＾は、平面視で島や、地理上の境界線を模した形状の柱状の構成体であり、それぞれを組み合わせることによって一つの地図が完成するようになっている。これによって、使用者の地勢への関心を高めることができる。
【００４３】
なお、パズルピース１は、上記の実施例によらず、どのように分割されていてもよい。
また、パズルとしての利用を効果的に行うためには、図７に記載のように、同一形状のパズルピース１と台座２を複数用意し、複数のパズルピース１を同時に分割ができるように構成することが好ましい。
図７（ａ）では、第一パズルＸ１、第二パズルＸ２、第三パズルＸ３、第四パズルＸ４が同時に使用される様子を表しており、図７（ｂ）では、穴板２２に設ける穴を、それぞれの台座２で同一形状にして複数設けた図７（ａ）の変更例を表している。
【００４４】
《実施形態の製造方法》
以下、本実施形態に係るパズルＸの製造方法について詳述する。本実施形態のパズルは、製造者によって製造される。なお、製造の方法は以下に限らず、その順番は前後してもよい。
【００４５】
まず、製造者は、パズル部品Ａを作成する。パズル部品Ａは、パズルピース１と、台座２が含む。
パズルピース１は、木材を柱状に切削加工を行うことで作成する。その後、パズルピース１の少なくとも側面部分に漆塗りを行い、漆をパズルピース１の表面に定着させ漆層Ｕを形成する。
台座２は、木製の穴板２２に、パズルピース１を平面視した形状よりも少し大きくなるように円柱穴２２ａ、三角柱穴２２ｂ、四角柱孔２２ｃを設け、それらの穴の少なくとも内周面に漆塗りを行い、穴板２２に漆層Ｕを形成する。
次に、穴板２２を平面視で略同一形状の基台２１に貼り付け、台座２とする。
【００４６】
その後、製造者は、パズルピース１を台座２に嵌め込み、パズルＸを製造する。
好ましくは、第一パズルＸ１〜第四パズルＸ４を同時に収納することができる漆塗りの収納箱に収納する。さらに好ましくは、収納を効率的に行うために、台座２の縦幅は、台座２の横幅の略定数倍に構成する。
【００４７】
《実施形態の使用方法》
以下、本実施形態に係るパズルＸの使用方法について詳述する。本実施形態のパズルは、使用者によって使用される。なお、使用の方法は以下に限らず、その順番は前後してもよい。
【００４８】
使用者は、台座２に形成された穴にパズルピース１を適宜嵌め込むことによって、パズルＸを使用する。
嵌め込みの際、漆層Ｕによって摩擦が低減することで、使用者は引掛りなくスムーズな嵌め込み動作が可能となる。また、漆層Ｕがパズル部品Ａを保護することで、耐久性及び安全性が向上する。
【符号の説明】
【００４９】
Ｘ      パズル
Ａ      パズル部品
１      パズルピース
２      台座
２１    基台
２２    穴板
Ｔ      当接部
Ｕ      漆層
【図１】
0003233935.tif 000003
【図２】
0003233935.tif 000004
【図３】
0003233935.tif 000005
【図４】
0003233935.tif 000006
【図５】
0003233935.tif 000007
【図６】
0003233935.tif 000008
【図７】
0003233935.tif 000009
【手続補正書】
【提出日】令和3年7月2日(2021.7.2)
【手続補正１】
【補正対象書類名】明細書
【補正対象項目名】０００１
【補正方法】変更
【補正の内容】
【０００１】
本考案は、表面に漆による被膜が形成される、嵌め合わせパズルに関する。
【手続補正２】
【補正対象書類名】明細書
【補正対象項目名】０００７
【補正方法】変更
【補正の内容】
【０００７】
本考案の好ましい形態では、前記パズル部品は、パズルピースと、前記パズルピースを嵌め込む台座を含む。このような構成にすることによって、前記パズルピースを前記台座に嵌め込むパズルの耐久性を高め、同時に嵌め込みの際の摩擦を低減させることで前記パズルの使い勝手を良くすることができる。さらに、意匠性に優れたパズルを製作することが可能になる。
【手続補正３】
【補正対象書類名】明細書
【補正対象項目名】０００８
【補正方法】変更
【補正の内容】
【０００８】
本考案の好ましい形態では、前記パズルピースは、複数の前記パズルピースが組み合わさった状態で前記台座に嵌め込まれる。このような構成にすることによって、複数の前記パズルピース同士を組み合わせる際にも、前記パズルピースの摩擦を低減し、さらに耐久性を向上させることができる。
【手続補正４】
【補正対象書類名】明細書
【補正対象項目名】０００９
【補正方法】変更
【補正の内容】
【０００９】
本考案の好ましい形態では、前記パズルピースは、平面視で略同一形状である。このような構成にすることによって、使用者の形状識別能力を高めることができるようになる。
【手続補正５】
【補正対象書類名】明細書
【補正対象項目名】００１０
【補正方法】変更
【補正の内容】
【００１０】
本考案の好ましい形態では、前記パズルピースは、同一の色彩に着色されている。このような構成にすることによって、使用者の色彩識別能力を高めることができ、また、前記漆層の意匠性をより生かすことができる。
【手続補正６】
【補正対象書類名】明細書
【補正対象項目名】００１１
【補正方法】変更
【補正の内容】
【００１１】
本考案の好ましい形態では、前記パズルピースは、柱状に設けられている。このような構成にすることによって、当接部に被膜を塗布することを容易に行うことができるようになるとともに、角が生じることで使用者がパズルピースを誤って飲み込むことを防ぐことができる。
【手続補正７】
【補正対象書類名】明細書
【補正対象項目名】００１４
【補正方法】変更
【補正の内容】
【００１４】
以下、図面を用いて、本考案の各実施形態に係るパズルについて説明する。説明は、各実施形態に係るパズルの各々の構成要素についての説明を行い、次に製造方法、最後にパズルの利用方法について詳述を行う。なお、以下に示す各実施形態は本考案の一例であり、本考案を以下の各実施形態に限定するものではない。